(57)【要約】      （修正有）【課題】長いコンクリート杭の中間場所における地耐力を増加し、又杭軸の水平方向の負荷に対しても耐えうるために支持力を大きく向上させる。【解決手段】長いコンクリート杭の中間場所における地耐力を増加し又水平方向のずれを防止するため杭本体より水平方向に数本の角鋼管材を腕のように土中に突出させることにより支持力の向上と安定をはかるものである。【選択図】図２
0003134898.tif 000002
【実用新案登録請求の範囲】
【請求項１】
杭の場所打ちのための掘削孔１内に、その内壁と所定の間隔を保ちながら鉄筋篭２を溶接により継ぎながら次々と垂下していく、その途中で内周数カ所に傾斜案内路５とそれに続く外周への貫通角窓６を設け、この傾斜案内路５の入口に多数の切溝８を入れて屈曲可能にした数本の角鋼管材７を僅かに差し込んで保持させた関節円筒４の下端を鉄筋篭２に溶接し、次ぎにその関節円筒４の上端に次の鉄筋篭２又は鋼管３を溶接した後、これを垂下して掘削孔１の底部に達しさせ、その時地上に残された鋼管３等を仮止めして、長い打撃棒１０又は押圧機１１により関節円筒４内の角鋼管材７の頭部を打撃又は押圧して、これを傾斜案内路５に沿うて屈曲させながら貫通角窓６よりほぼ水平に掘削孔１内壁に押し込み、丁度角鋼管材７が土中に腕を突出した状態とし、次ぎに掘削孔１にコンクリートを打設することにより小径鉄筋９で補強された角鋼管材７の内部及び外部周辺までコンクリートを充満させ、コンクリートの硬化により強靱な腕を形成できるようにした場所打ちコンクリート杭。
【考案の詳細な説明】
【技術分野】
【０００１】  掘削された孔にコンクリートを打設する場所打ちコンクリート杭の分野
【背景技術】
【０００２】  場所打ちコンクリート杭を築造する場合、地耐力の大きい硬い地盤まで掘り下げ、支持力を保持しようとするが埋め立て地等の軟弱地盤では地中における杭の安定は期待し難い。
【考案の開示】
【考案が解決しようとする課題】
【０００３】  長いコンクリート杭の中間場所における地耐力を増加し、又杭軸の水平方向の負荷に対しても耐えうるために杭本体より水平方向に数本の角鋼管材を腕のように土中に突出させることにより支持力を大きく向上させようとするものである。
【課題を解決するための手段】
【０００４】  杭の場所打ちのための掘削孔１内に、その内壁と所定の間隔を保ちながら鉄筋篭２を溶接により継ぎながら次々と垂下していく、その途中で内周数カ所に傾斜案内路５とそれに続く外周への貫通角窓６を設け、この傾斜案内路５の入口に多数の切溝８を入れて屈曲可能にした数本の角鋼管材７を僅かに差し込んで保持させた関節円筒４の下端を鉄筋篭２に溶接し、次ぎにその関節円筒４の上端に次の鉄筋篭２又は鋼管３を溶接した後、これを垂下して掘削孔１の底部に達しさせ、その時地上に残された鋼管３等を仮止めして、長い打撃棒１０又は押圧機１１により関節円筒４内の角鋼管材７の頭部を打撃又は押圧して、これを傾斜案内路５に沿うて屈曲させながら貫通角窓６よりほぼ水平に掘削孔１内壁に押し込み、丁度角鋼管材７が土中に腕を突出した状態とし、次ぎに掘削孔１にコンクリートを打設することにより小径鉄筋９で補強された角鋼管材７の内部及び外部周辺までコンクリートを充満させ、コンクリートの硬化により強靱な腕を形成できるようにする。
【考案の効果】
【０００５】  長い杭の中間場所に数カ所関節円筒４を介在させ、その各々から水平に数本の角鋼管材７を土中に腕のように突出させることにより、腕の下面にも支持力が発生するため地耐力を大幅に引き上げることが可能になり、又横方向の外力にも耐え、地震等により杭の横ずれ、又緩みを防止できる。【０００６】  特に大きな基礎を支持するため、密接して多数本の杭を築造する場合、角鋼管材７が隣接する杭の角鋼管材７の近辺に達し、その附近に流出したコンクリートが絡み合うことにより多数本の杭を束ねた構造になることが可能となり、大きな剛性を保持することが期待できる。
【考案を実施するための最良の形態】
【０００７】  地中深く、硬い地盤まで掘削孔１を穿ち、その内壁に地がためを施した後、その内壁と所定の間隔を保ちながら鉄筋篭２を溶接により継ぎながら図１のように次々と何本も垂下していく。そして次ぎにその鉄筋篭２の上端に関節円筒４を載せ、その下端を鉄筋篭２の縦筋に溶接し、この関節円筒４の内周の数カ所の傾斜案内路５の入口に数本の角鋼管材７を差し込んで保持させ、その上に押圧機１１を取付ける。次ぎに関節円筒４の上端に次の鉄筋篭２を溶接して垂下し、何本かの鉄筋篭２を溶接した後、又２個目の関節円筒４を溶接し、その内部に数本の角鋼管材７を保持させ、更にその上に鋼管３を突き合わせ溶接する。【０００８】  そしてこの長く連結された鉄筋篭２と関節円筒４とを掘削孔１の底面まで下ろした後、地上に残されている鋼管３を沈下しないように仮止めし、下方の関節円筒４に取付けた押圧機１１により、角鋼管材７の頭を押圧して、角鋼管材７を傾斜案内路５により屈曲させながら貫通角窓６より突き出し、掘削孔１の内壁に水平に深く突き出させる。【０００９】  次ぎに長い打撃棒１０を上方の関節円筒４内の角鋼管材７の上に載せ、エアーハンマー等で打撃して、すべての角鋼管材７を突き出させることにより図２のように８本の腕が土中に太い根を張る状態となる。この作業がすむと打撃棒１０又は押圧機１１は地上に取り出される。【００１０】  角鋼管材７の形状は図３のように片側面に多数の切溝８を設け、その隙間は図５のように屈曲した場合にはその隙間が合わさるような寸法としている。そして、その先端部はあらかじめ少し屈曲して傾斜案内路５の入口に少し押し込めるようにして保持されるようにしている。そして先端面は土中に突き出る時はあまり土が侵入しない程度の隙間を設けている。角鋼管材７は切溝８を設けているため、屈曲に要する力はあまり過大にならない。そしてその内部に多数の小径鉄筋９の上先端部だけ角鋼管材７に軽く溶接してぶら下げており、角鋼管材７の屈曲に従って湾曲する。【００１１】  すべての角鋼管材７が土中に突き出された後、掘削孔１にコンクリートを打設するとコンクリートは角鋼管材７の内部まで充満し、その先端及び貫通角窓６の隙間より、土中まで浸透し、角鋼管材７の外周もコンクリート液で保護される。【００１２】  コンクリートが硬化すると角鋼管材７は多数の小径鉄筋９により鉄筋入り角鋼管の高い剛性を持つことになる。
【産業上の利用可能性】
【００１３】  本案の角鋼管材７による杭の腕の突出の構造は傾斜地及び埋立地の土留用杭にも利用することが出来る。
【図面の簡単な説明】
【００１４】
【図１】本案に係わる実施例を示すものであって鉄筋篭２、鋼管３の間に関節円筒４が組み込まれ、掘削孔１内に垂下された状態を示す縦断面図
【図２】図１における関節円筒４内の角鋼管材７が掘削孔１の内壁に水平に突出た状態を示す縦断面図
【図３】図１の一部拡大の縦断面図
【図４】図３のＸ−Ｘ断面図
【図５】図２の一部拡大の縦断面図
【図６】図５のＹ−Ｙ断面図
【符号の説明】
【００１５】  １・・・掘削孔                      ２・・・鉄筋篭
３・・・鋼管                        ４・・・関節円筒
５・・・傾斜案内路                  ６・・・貫通角窓
７・・・角鋼管材                    ８・・・角鋼管材の切溝
９・・・小径鉄筋                  １０・・・打撃棒
１１・・・押圧機                    １２・・・鋼管仮止め用材
【図１】
0003134898.tif 000003
【図２】
0003134898.tif 000004
【図３】
0003134898.tif 000005
【図４】
0003134898.tif 000006
【図５】
0003134898.tif 000007
【図６】
0003134898.tif 000008